(57)【要約】【課題】電柱などの柱体に登って作業する場合などに、簡便に用いることのできる簡易足場を提供すること。【解決手段】柱体の周面に当接させる当接体と、この当接体に鈍角に連接され、前記柱体の周面から上り勾配で突出するように延在する足場本体と、この足場本体にスライド自在に取付けられ、前記柱体の周面に巻回した連結帯の緊張度合を可変に連結可能とした締結体と、を備えた柱体昇降用簡易足場とした。【選択図】図６
2011084899.tif 000002
【特許請求の範囲】
【請求項１】
柱体の周面に当接させる当接体と、
この当接体に鈍角に連接され、前記柱体の周面から上り勾配で突出するように延在する足場本体と、
この足場本体にスライド自在に取付けられ、前記柱体の周面に巻回した連結帯の緊張度合を可変に連結可能とした締結体と、
を備えることを特徴とする柱体昇降用簡易足場。
【請求項２】
前記締結体は、
前記足場本体に遊嵌される短筒部と、
この短筒部の一側に形成され、前記連結帯の一端側を連結する第１連結部と、
前記短筒部の他側に形成され、前記柱体の周面に巻回した連結帯の他端側を連結する第２連結部と、
先端が前記当接体の前面に当接するように、前記短筒部に設けたナット体に螺合させたボルト体と、
を具備することを特徴とする請求項１記載の柱体昇降用簡易足場。
【請求項３】
前記足場本体の上面に、滑り止めと水抜きとを兼用する複数の孔を形成したことを特徴とする請求項１又は２に記載の柱体昇降用簡易足場。
【請求項４】
前記連結帯を、金属製の鎖としたことを特徴とする請求項１〜３のいずれか１項に記載の柱体昇降用簡易足場。
【発明の詳細な説明】
【技術分野】
【０００１】
本発明は、電柱などに登って作業する場合などに、簡便に用いることのできる柱体昇降用簡易足場に関する。
【背景技術】
【０００２】
従来、電柱には足場ボルトが植設されているが、これはいたずら防止などの観点から、地上から２メートル以上の高さにあるため、電柱上で作業を行う場合、作業者は足場ボルトまで届くだけの高さの梯子が必要であった。そして、梯子から足場ボルトに移って所望の高さまで登るようにしていた。
【０００３】
しかし、通常、梯子は金属製であり比較的重量物といえるため、その持ち運びは面倒である。したがって、例えば自動車などでは進入できないような場所の電柱に登る必要がある場合などは、作業者の負担がいよいよ大きくなってしまう。また、例えば電柱などが立設されている地面が平らであればよいが、傾斜地に立っている場合、梯子を安定した状態で立て掛けることが難しく、危険を伴うおそれもある。
【０００４】
そこで、電柱に植設された足場ボルトに掛止して該電柱の外周面に巻装されるロープと、該ロープに着脱自在に取着され電柱に登るとき足を載せる複数の足掛部材とからなる簡易梯子が提案された（例えば、特許文献１を参照。）。
【先行技術文献】
【特許文献】
【０００５】
【特許文献１】特開２００７−２６２８３５号公報
【発明の概要】
【発明が解決しようとする課題】
【０００６】
しかしながら、上述した簡易梯子は、梯子に比べればコンパクトに収納することもでき、軽量化も図れるものの、その取付けについては、電柱の地上２メートルほどのところに植設されている足場ボルトにロープを掛け、このロープの両側の２本を電柱の反対側へ回し、次いで、足場ボルトの反対側であってこの足場ボルトより下方へ略５０ｃｍ下がった位置の電柱外周面に、足掛部材を配置するとともに、ロープを足掛部材に設けたロープ溝に張った状態で嵌め込むという作業を次々と行う必要があるなど、極めて面倒であった。
【０００７】
さらに、上述した簡易梯子は、電柱に植設されている足場ボルトにロープを掛ける方式のため、例えば、電柱に植設された足場ボルトが欠損していた場合には、簡易梯子そのものを用いることができないし、そもそも、予め所定の高さに足場ボルトが植設された電柱以外では使用することができない。
【０００８】
本発明は、上記課題を解決し、安全かつ容易に電柱などの柱体に登ることができ、しかも、携帯や運搬が容易で、なおかつ、取扱いや保管などが極めて簡単な柱体昇降用簡易足場を提供することを目的としている。
【課題を解決するための手段】
【０００９】
（１）本発明は、柱体の周面に当接させる当接体と、この当接体に鈍角に連接され、前記柱体の周面から上り勾配で突出するように延在する足場本体と、この足場本体にスライド自在に取付けられ、前記柱体の周面に巻回した連結帯の緊張度合を可変に連結可能とした締結体と、を備えることを特徴とする柱体昇降用簡易足場とした。
【００１０】
（２）また、本発明は、上記（１）の柱体昇降用簡易足場において、前記締結体は、前記足場本体に遊嵌される短筒部と、この短筒部の一側に形成され、前記連結帯の一端側を連結する第１連結部と、前記短筒部の他側に形成され、前記柱体の周面に巻回した連結帯の他端側を連結する第２連結部と、先端が前記当接体の前面に当接するように、前記短筒部に設けたナット体に螺合させたボルト体と、を具備することを特徴とする。
【００１１】
（３）また、本発明は、上記（１）又は（２）の柱体昇降用簡易足場において、前記足場本体の上面に、滑り止めと水抜きとを兼用する複数の孔を形成したことを特徴とする。
【００１２】
（４）また、本発明は、上記（１）〜（３）の柱体昇降用簡易足場において、前記連結帯を、金属製の鎖としたことを特徴とする。
【発明の効果】
【００１３】
本発明によれば、電柱などの柱体への取り付けが容易で、安全に柱体などを昇降することができ、しかも、携帯や運搬が容易で、なおかつ、取扱いや保管などが極めて簡単な柱体昇降用簡易足場を提供することができる。
【図面の簡単な説明】
【００１４】
【図１】本実施形態に係る柱体昇降用簡易足場の平面図である。
【図２】同側面図である。
【図３】同底面図である。
【図４】同柱体昇降用簡易足場の柱体への取付状態を示す全体斜視図である。
【図５】同全体平面図である。
【図６】同体昇降用簡易足場の使用状態を示す説明図である。
【発明を実施するための形態】
【００１５】
以下、本実施形態に係る柱体昇降用簡易足場について、図面を参照しながら具体的に説明する。
【００１６】
本実施形態に係る柱体昇降用簡易足場１０（以下、単に「簡易足場１０」とする場合がある）は、柱体５０に簡便に取り付け、これを足場として利用して当該柱体５０に登れるようにしたものである。本実施形態に係る簡易足場１０は金属製であり、図１〜３に示すように、足場本体１１、当接体１２及び締結体２０と、連結体としての鎖３０（以下、「チェーン３０」という）とを具備し、足場本体１１の基端に当接体１２が連接されて側面視略Ｌ字状に形成されている。
【００１７】
足場本体１１は、矩形金属板の左右長手側縁を下方へ折曲するとともに、その基端部に柱体５０と当接する当接体１２を連接している。そして、足場本体１１は、図示するように、当接体１２を柱体５０の周面に当接させた状態で、柱体５０の周面から鈍角の上り勾配で突出するようにして取り付けられる。さらに、柱体５０から外方に突出する足場本体１１の先端部１１ａは、さらに上方に折り曲げた形状として、足場本体１１に置かれた作業者の足が、先端部１１ａから外側へ滑り難いようにしている。なお、足場本体１１と当接体１２との取付角度は、１００〜１２０度程度が望ましく、本実施形態では１１０度に設定している。
【００１８】
また、足場本体１１の上面、すなわち作業者の足との接触面には複数の孔１３が穿たれている。この孔１３は、滑り止めと水抜きとを兼用するものであり、通常は滑り止めとして機能するが、例えば、雨天時などには、足場本体１１上に溜まる雨水などの水抜きをして、作業者の足裏が滑ることを防止するようにしている。なお、足場本体１１に所定の強度を保った状態で複数の孔１３を穿つことにより、柱体昇降用簡易足場１０の軽量化を計ることもでき、携帯性をも高めている。
【００１９】
締結体２０は、足場本体１１に遊嵌される断面視略矩形形状の短筒部２１と、この短筒部２１の一側に形成され、連結帯として複数の円環が連結されたチェーン３０の一端側を連結する第１連結部２２と、短筒部２１の他側に形成され、柱体５０の周面に巻回したチェーン３０の他端側を連結する第２連結部２３と、先端が当接体１２の前面に当接するように、短筒部２１に設けたナット体４１に螺合させたボルト体４０と、により構成されている。ここで、当接体１２の前面とは、簡易足場１０の使用状態で、柱体５０の周面と当接する面に反対側をなす面である。
【００２０】
短筒部２１は、足場本体１１の先端部１１ａから足場本体１１にスライド自在に遊嵌されている。また、足場本体１１には、短筒部２１が脱落しないように、抜け止め手段が設けられている。本実施形態では、抜け止め手段として、抜け止ビス１４を足場本体１１の側部に取り付けている。つまり、この抜け止ビス１４を外した状態では、短筒部２１は足場本体１１の先端部１１ａから簡単に嵌合できるが、一旦足場本体１１に嵌合された短筒部２１は、抜け止ビス１４を足場本体１１の側部に取り付けることで、この抜け止ビス１４と当接体１２との間のみをスライド自在となるようにしている。
【００２１】
短筒部２１の左右両側には、それぞれ係止用凹部２５が形成された第１連結部２２と第２連結部２３とが翼状に設けられている。また、一側に形成された第１連結部２２には、チェーン３０の抜け止め手段としての連結ビス２４が設けられている。この連結ビス２４を外して、チェーン３０の一側端部を第１連結部２２の係止用凹部２５に係合させて連結した後に、チェーン３０と当接する連結ビス２４を取り付けることで、チェーン３０は係止用凹部２５に係合された状態で第１連結部２２に対して自由に動くことができるが、抜け方向への移動は規制されるため、第１連結部２２からは決して外れることがない構成となっている。
【００２２】
一方、短筒部２１の他側に形成された第２連結部２３は、作業者によるチェーン３０の他端側を係止用凹部２５に係合したり係合を解除したりできるようにしている。このため、簡易足場１０を使用する作業者は、柱体５０の周面に巻回したチェーン３０の他端側の任意の位置において、チェーン３０を第２連結部２３に連結したり連結を解除したりできる。
【００２３】
また、短筒部２１の下面、つまり、作業者が足を載置する側の面の裏面には、ナット体４１が固着されている。そして、このナット体４１に、当接体１２の前面に、先端が当接するようにボルト体４０を螺合させている。
【００２４】
このボルト体４０をナット体４１に対して締める方向、つまり、右回り方向に回転させると、締結体２０は足場本体１１の先端部１１ａの方向、すなわち柱体５０から離隔する方向にスライドする。これにより、柱体５０の周面に巻回したチェーン３０の緊張度合いは高くなり、足場本体１１は柱体５０の任意に位置に固定される。
【００２５】
一方、ボルト体４０をナット体４１に対して緩める方向、つまり、左回り方向に回転させると、締結体２０は足場本体１１の当接体１２の方向、すなわち柱体５０に近接する方向にスライドする。これにより、柱体５０の周面に巻回したチェーン３０の緊張度合が緩み、足場本体１１の柱体５０への固定は解除される。
【００２６】
すなわち、本実施形態における柱体昇降用簡易足場１０は、柱体５０の任意の高さの周面に、第１連結部２２の係止用凹部２５に一端を連結したチェーン３０を巻回して、所定長さに整えたチェーン３０の他端側を第２連結部２３の係止用凹部２５に連結するとともに、ボルト体４０を回転させて、短筒部２１をスライドさせることにより、チェーン３０の緊張度合いを調整して、柱体５０への足場本体１１の着脱を自在としている。
【００２７】
つまり、連結帯としてのチェーン３０の最大長さ以内であれば、異なる太さをもつ複数種類の柱体５０に対して、柱体昇降用簡易足場１０の着脱を可能としている。
【００２８】
ここで、さらに図４〜６を参照して、本実施形態における柱体昇降用簡易足場１０の取り付けの手順、及び簡易足場１０の使用方法について、さらに詳細に説明する。なお、ここでは、柱体５０を電柱６０として、電柱６０に基低部から所定高さ（例えば、２ｍ）に設けられた足場ボルト７０までの間に、複数の簡易足場１０を取り付ける場合を一例として説明する。
【００２９】
図４に示すように、本実施形態における柱体昇降用簡易足場１０は、電柱６０の任意の高さの周面６０ａに当接体１２を当接させた状態で、連結帯としてのチェーン３０を、その一端側を固定されている第１連結部２２から、周面６０ａを右回りに巻回して、その他端側を第２連結部２３に連結させる。
【００３０】
このとき、チェーン３０は予め定められた大きさの円環の集合体であるため、完全に電柱６０の周面６０ａに密着させることは出来ない。したがって、作業者はなるべくチェーン３０の弛みが少なくなるように、チェーン３０の他端側の位置を調整して、第２連結部２３に連結させることが望まれる。
【００３１】
そして、この状態において、短筒部２１の下部に設けられたボルト体４０をチェーン３０の緊張度合いが最大となるまで、スパナ又はメガネレンチなどの工具により締め込む。すなわち、ボルト体４０を時計回りに回転させ、図５に示すように、電柱６０に対してチェーン３０をしっかりと緊張させた状態で簡易足場１０を取り付ける。
【００３２】
これにより、チェーン３０は電柱６０の周面６０ａに密着するとともに、簡易足場１０の当接体１２が電柱６０の周面６０ａに密着し、簡易足場１０が電柱６０に固定される。この状態おいて、作業者が簡易足場１０の足場本体１１に体重をかけると、作業者の体重の負荷によるモーメントが、足場本体１１から当接体１２に伝わり、当接体１２と電柱６０の周面６０ａとの密着度は増幅されるため、当該簡易足場１０が電柱６０の周面６０ａからずれたり、脱落したりすることはない。
【００３３】
しかも、足場本体１１は、電柱６０の周面からは鈍角の上り勾配で突出しているため、作業者が足を掛けても、足場本体１１が少なくとも水平状態よりも下り勾配状態にはならず、作業者は安心して足を掛けることができる。
【００３４】
そして、取り付けた簡易足場１０の上方位置に、上述した取り付け手順を繰り返して、必要数の簡易足場１０を新しい足場として固定する。すなわち、取り付けた簡易足場１０の上方所定高さ（例えば、５０ｃｍ）の位置であって、電柱６０の中心に対して対称となる反対側位置に、さらなる簡易足場１０を取り付けていくのである。
【００３５】
このようにして、電柱６０に対し、基低部から所定高さ（例えば、２ｍ）に設けられた足場ボルト７０までの間に、複数の簡易足場１０を取り付けることができ、図６に示すように、電柱６０の足場ボルト７０が立設されていない部分に取り付けられた複数の簡易足場１０を利用して、作業者は容易に電柱６０を昇降することができる。
【００３６】
また、作業が終了した場合は、上述した手順とは逆に、上部に固定された簡易足場１０から順番に、短筒部２１の下面に設けられたボルト体４０を、スパナ又はメガネレンチなどの工具により、緩める方向、つまり、反時計回りに回転させて、チェーン３０の緊張度合いを緩めて、チェーン３０と第２連結部２３との連結を解除することで、容易に簡易足場１０を外すことができる。
【００３７】
そして、外した簡易足場１０は、全て一纏めにして適宜収納すれば、持ち運び及び保管も簡単である。
【００３８】
なお、上述してきた図４〜図６を用いた説明では、電柱６０の足場ボルト７０が立設されていない部分に簡易足場１０を用いることを一例として説明してきたが、簡易足場１０が設置されるのは電柱６０に限定されるものではなく、前述したように柱体５０であれば適用可能である。すなわち、作業者が昇降して作業を行う必要のある柱体５０であれば、例えば、信号機、道路標識、街灯などに本実施形態に係る簡易足場１０を用いることもできる。しかも、柱形状としては必ずしも円柱に限るものではなく、断面視異形形状の柱であっても構わない。
【００３９】
また、本実施形態においては、連結帯としてチェーン３０を用いたが、本発明はこれに限定されるものではなく、簡易足場１０を柱体に固定できるものであれば、例えば、金属性あるいはゴムなどの樹脂製のロープ、バンドなどを用いてもよい。
【００４０】
なお、本実施形態における一組のボルト体４０及びナット体４１は、一般的な構成としたが、例えば、戻り防止機能を備えたボルト体４０及びナット体４１を用いて、さらなる安全性の向上を図ることもできる。
【００４１】
上述してきた実施形態より、以下の柱体昇降用簡易足場１０が実現できる。
【００４２】
柱体５０の周面に当接させる当接体１２と、この当接体１２に鈍角に連接され、柱体５０の周面から上り勾配で突出するように延在する足場本体１１と、この足場本体１１にスライド自在に取付けられ、柱体５０の周面に巻回した連結帯としてのチェーン３０の緊張度合を可変に連結可能とした締結体２０と、を備えた柱体昇降用簡易足場１０。
【００４３】
かかる構成の柱体昇降用簡易足場１０を用いることにより、使用者が足場本体１１に体重をかけると当接体１２が柱体５０の周面に密着して、当該柱体昇降用簡易足場１０の使用中の脱落を防ぐことができる。また、柱体５０の周面に巻回した連結帯としてのチェーン３０の緊張度合を可変にするだけで、柱体５０への柱体昇降用簡易足場１０の着脱を可能としているため、柱体昇降用簡易足場１０を着脱する作業性がよい。
【００４４】
また、締結体２０は、足場本体１１に遊嵌される短筒部２１と、この短筒部２１の一側に形成され、連結帯としてのチェーン３０の一端側を連結する第１連結部２２と、短筒部２１の他側に形成され、柱体５０の周面に巻回したチェーン３０の他端側を連結する第２連結部２３と、先端が当接体１２の背面に当接するように、短筒部２１に設けたナット体４１に螺合させたボルト体４０と、を具備する柱体昇降用簡易足場１０。
【００４５】
かかる構成により、柱体５０への柱体昇降用簡易足場１０の着脱が、ボルト体４０を任意の方向に回転させるだけで行えるため、柱体昇降用簡易足場１０の着脱作業が簡易であり、また、そのための工具もボルト体４０の規格に合ったスパナやメガネレンチなどの最小限の工具で済み、特に電柱などで高所作業を行うときに、無駄な工具を持ち運ぶことがない。
【００４６】
また、足場本体１１の上面に、滑り止めと水抜きとを兼用する複数の孔１３を形成した柱体昇降用簡易足場１０。
【００４７】
かかる構成により、例えば、雨天時での作業においても、利用者が足を滑らせることを防ぐことができ、安全な柱体昇降用簡易足場１０とすることができる。
【００４８】
また、連結帯としてのチェーン３０を、金属製の鎖とした柱体昇降用簡易足場１０。
【００４９】
かかる構成により、連結帯として安価で耐久性の高い金属性（例えば、亜鉛メッキをした鉄）の鎖を用いることで、対費用効果に優れた柱体昇降用簡易足場１０とすることができる。
【００５０】
以上、本発明の好ましい実施形態について説明したが、本発明は上述してきた実施形態に限定されるものではなく、特許請求の範囲に記載された本発明の要旨の範囲内において、種々の変形・変更が可能である。
【符号の説明】
【００５１】
１０  柱体昇降用簡易足場
１１  足場本体
１１ａ  先端部
１２  当接体
１３  孔
１４  抜け止ビス
２０  締結体
２１  短筒部
２２  第１連結部
２３  第２連結部
２４  連結ビス
３０  チェーン
４０  ボルト体
４１  ナット体
５０  柱体
【図１】
2011084899.tif 000003
【図２】
2011084899.tif 000004
【図３】
2011084899.tif 000005
【図４】
2011084899.tif 000006
【図５】
2011084899.tif 000007
【図６】
2011084899.tif 000008